(57)【要約】  記録されたコンテンツと関連するメタデータを収集するシステムは、ワークフロー内のコンテンツを記録し処理するように構成された装置（１２）を含む。メタデータ収集デバイスは、装置（１２、２６、１０９）に組み込まれたデバイス、および／またはシステムに外部的にアクセスするように構成されたデバイス（１０６、１１４）を含む。メタデータ収集デバイスは、ワークフロー内の任意のポイントで任意の時間に、メタデータを収集して該メタデータをコンテンツに関連づけるように構成される。次いで、収集されたメタデータを使用して、ワークフロー内の任意の部分におけるコンテンツの処理を自動化し、促進し、改善することができる。
2009517971.tif 000002
【特許請求の範囲】
【請求項１】
媒体の制作中にコンテンツを記録するステップと、
メタデータを、媒体の制作中に記録する前記コンテンツと関連付けるステップと
を含むことを特徴とする方法。
【請求項２】
前記メタデータを関連付けるステップは、携帯電話、ラップトップコンピュータ、センサ、および携帯情報端末の１つによって前記メタデータを収集することを含むことを特徴とする請求項１に記載の方法。
【請求項３】
前記コンテンツを記録するステップは、カメラの１つによって達成され、関連付けられた前記メタデータが、カメラ設定を含むことを特徴とする請求項１に記載の方法。
【請求項４】
ワークフローは、各処理が前の処理からの前記コンテンツおよび前記メタデータを受信する、複数の処理を含むことを特徴とする請求項１に記載の方法。
【請求項５】
前の処理からの前記メタデータは、現在の処理に利用されることを特徴とする請求項４に記載の方法。
【請求項６】
前記現在の処理は、現在処理しているメタデータを前記コンテンツに提供することを特徴とする請求項５に記載の方法。
【請求項７】
前記メタデータを、複数の処理の１つと関連するデータベースに報告するステップをさらに含むことを特徴とする請求項１に記載の方法。
【請求項８】
前記メタデータを前記コンテンツに関連付けるステップは、媒体の制作を通じて前記コンテンツの処理を可能にすることを特徴とする請求項１に記載の方法。
【請求項９】
前記メタデータを関連付けるステップは、コンテンツの編集、色の等級付け、およびデイリー視聴プロセスの少なくとも１つからメタデータを収集することを含むことを特徴とする請求項１に記載の方法。
【請求項１０】
前記メタデータを関連付けるステップは、前記コンテンツと関連する前記メタデータを媒体の制作を通じて蓄積することを含むことを特徴とする請求項１に記載の方法。
【請求項１１】
前記メタデータを関連付けるステップは、前記メタデータを前記コンテンツで直接格納することを含むことを特徴とする請求項１に記載の方法。
【請求項１２】
前記関連付けるステップは、前記データベース内の前記ワークフローを通じて前記メタデータを格納することを含むことを特徴とする請求項１に記載の方法。
【請求項１３】
前記データベースは、複数のデータベースのネットワークを含むことを特徴とする請求項１２に記載の方法。
【請求項１４】
前記データベースおよび前記コンテンツの１つは、コンテンツと各メタデータをリンクするのに使用される、タイムスタンプされ一意に識別された複数のメタデータ入力を含むことを特徴とする請求項１２に記載の方法。
【請求項１５】
前記メタデータは、前記ワークフローの任意の部分におけるコンテンツの処理を自動化し、促進し、改善するのに使用されることを特徴とする請求項１に記載の方法。
【請求項１６】
ワークフロー内でメタデータを記録し、使用するシステムであって、
コンテンツを収集することができる少なくとも１つの記録デバイス（１２、２６）と、
前記ワークフロー内の全ての場所で全ての時間において前記コンテンツと関連付けられるメタデータを収集するように構成される、複数のメタデータデバイス（１５０）と、
前記ワークフロー内の任意のポイントで複数の前記メタデータデバイスからのメタデータを受信し、前記メタデータをデータベース内に格納するように構成されるサーバ（１７０）と、
前記サーバにアクセスし、前記ワークフローを通じて前記コンテンツと関連する前記メタデータをレンダリングするように構成される少なくとも１つの使用デバイス（１５８）と
を備えることを特徴とするシステム。
【請求項１７】
前記メタデータデバイス（１５０）は、携帯電話、ラップトップコンピュータ、センサ、処理装置、および携帯情報端末の１つを含むことを特徴とする請求項１６に記載のシステム。
【請求項１８】
前記記録デバイス（１２）は、カメラを含み、前記メタデータは、カメラ設定を含むことを特徴とする請求項１６に記載のシステム。
【請求項１９】
前記ワークフローは、各プロセスが前のプロセスからの前記コンテンツおよび前記メタデータを受信する複数のプロセスを含むことを特徴とする請求項１６に記載のシステム。
【請求項２０】
前のプロセスからの前記メタデータは、現在のプロセスで利用されることを特徴とする請求項１９に記載のシステム。
【請求項２１】
前記現在のプロセスは、現在のプロセスのメタデータを前記コンテンツに提供することを特徴とする請求項２０に記載のシステム。
【請求項２２】
前記メタデータは、前記複数のプロセスのそれぞれと関連する前記データベース（１０２）に直接報告されることを特徴とする請求項１９に記載のシステム。
【請求項２３】
前記少なくとも１つの使用デバイスは、コンテンツ編集デバイス（１５８）、色の等級付けデバイス（１５６）、およびデイリー視聴デバイス（１６０）の少なくとも１つを含むことを特徴とする請求項１６に記載のシステム。
【請求項２４】
前記メタデータは、前記ワークフローを通じて、前記コンテンツと関連して蓄積されることを特徴とする請求項１６に記載のシステム。
【請求項２５】
前記メタデータは前記コンテンツで直接格納されることを特徴とする請求項１６に記載のシステム。
【請求項２６】
前記データベースは、複数のデータベース（１０２）のネットワークを含むことを特徴とする請求項１６に記載のシステム。
【請求項２７】
前記データベース（１０２）および／または前記コンテンツは、コンテンツを各メタデータにリンクするのに使用される、タイムスタンプされ一意に識別された複数のメタデータ入力を含むことを特徴とする請求項１６に記載のシステム。
【請求項２８】
前記メタデータは、前記ワークフローの任意の部分におけるコンテンツの処理を自動化し、促進し、改善するのに使用されることを特徴とする請求項１６に記載のシステム。
【請求項２９】
映画の制作においてメタデータを記録し、使用するシステムであって、
動画コンテンツを収集するように構成されるカメラ（１２）と、
前記制作において前記動画コンテンツを記録し、処理するように構成される処理装置（２８）と、
前記処理装置およびカメラに組み込まれた少なくとも１つのデバイスを含むメタデータ収集デバイス（１０６、１１４、１０８、２８）であって、前記デバイスは、システムに外部的にアクセスするように構成され、前記メタデータ収集デバイスは、メタデータを収集して、前記メタデータを、前記制作における任意のポイントで任意の時間に前記動画コンテンツと関連付けて、前記メタデータをメタデータのデータベースの１つの中に直接前記動画コンテンツに記録するように構成される、メタデータ収集デバイスと
を備えることを特徴とするシステム。
【請求項３０】
データベース（３０）にアクセスして、前記動画コンテンツに関連する前記メタデータをレンダリングするように構成される処理デバイス（２８）であって、前記メタデータは、前記制作を通じて前記コンテンツと同期された処理の方向およびコメントを提供する、前記処理デバイスをさらに備えることを特徴とする請求項２９に記載のシステム。
【請求項３１】
前記処理デバイスは、コンテンツ編集デバイス（２８）、色の等級付けデバイス（１１２）、およびデイリー視聴デバイス（１０８）の少なくとも１つを含むことを特徴とする請求項３０に記載のシステム。
【発明の詳細な説明】
【技術分野】
【０００１】
本発明は、一般にワークフローシステムおよび方法に関し、より詳細には、メタデータを収集し、管理し、複数のデバイス間で異なる時刻にワークフロー内で交換し、例えば動画の作成における完全なプロジェクトについての１つまたは複数のデータベースに寄与するシステムおよび方法に関する。
【背景技術】
【０００２】
プロジェクトがグループの努力を必要としているシナリオでは、そのプロジェクトを計画および管理することは困難になっている。プロジェクトの複雑性により、ワークフローの管理と関連する問題が増加する。従来的なプロジェクト管理技法は、個々の異なるグループに対するプロジェクトのごく一部分の代行（delegation）を必要とすることがしばしばあり、確実に該部分が適合してプロジェクトの目標の集合（assembly）を提供するようにいずれ情報を交換するであろう。
【０００３】
そのようなワークフローの問題は、映画産業に存在する。最新の動画の複雑性、複数の班（crew）、特殊効果のチームなどにより、ワークフローを管理すること、および完成品を効率的かつ費用効率の良い方法で生成することは、困難になっている。現在、問題は、動画作成のワークフローにおけるメタデータの記録、収集、交換、管理、および使用において存在する。
【０００４】
メタデータは、タスクを自動化し、プロセスをより効率的かつミスしやすくするために、ワークフロー内の異なるポイントで適切なデバイスで記録されて使用される必要がある。メタデータを収集および管理するための既存のシステムは、典型的に閉鎖的であり専有である。さらに、該システムは、ワークフローのごく一部しかカバーすることができない。
【発明の開示】
【発明が解決しようとする課題】
【０００５】
現在のシステムの例は、制作班からのサークルテイク（circle take）、カメラ設定（camera setting）などに関する情報の紙の記録である。さらに、一部の制作（production）では、セットに関するサークルテイク情報を記録するために携帯情報端末（ＰＤＡ）を使用していた。これらのＰＤＡベースのシステムでは、サークルテイク情報は、データベース内にダンプされ、編集用の下見の後は決して使用またはアクセスされることはない。サークルテイクは、ディレクタ好みのテイク（例えば、上手な演技、正確な対話、良いアクションなど）であり、通常、編集用の下見および編集において特別な注目が払われる。
【０００６】
さらに、視覚効果（ＶＦＸ）に関するカメラおよびセットの情報を、ＨＤ−ＳＤＩ（High-Definition Serial Digital Interface）リンクの補助スペース（ancillary space）内に記録するいくつかの専有システムがある。しかし、特殊装置はこのメタデータを読み／書きする必要があるので、このメタデータは通常寿命が短い。したがって、ほとんどの機器は、このメタデータを無視し、ときどきこのメタデータを除去することとなる。
【課題を解決するための手段】
【０００７】
本発明の方法は、媒体の制作中にコンテンツを記録することと、メタデータを媒体の制作中に記録された該コンテンツと関連付けることとを含む。メタデータ収集デバイスは、機器に組み込まれたデバイス、および／またはシステムに外部的にアクセスするように構成されたデバイスを含む。メタデータ収集デバイスは、メタデータを収集して、該メタデータをワークフローの任意のポイントまたは任意の時間でコンテンツに関連付けるように構成される。次いで、収集された該メタデータを使用して、ワークフローの任意の部分において、コンテンツ処理を自動化し、容易にし、改善することができる。
【０００８】
ワークフロー内でメタデータを記録して使用するシステムは、コンテンツの収集が可能な少なくとも１つの記録デバイス、任意の時刻にワークフロー内の任意の場所でコンテンツと関連するメタデータを収集するように構成された複数のメタデータデバイス、ワークフロー内の任意のポイントでメタデータデバイスからのメタデータを受信して該メタデータをデータベース内に格納するように構成されたサーバ、およびワークフローを通じてコンテンツと関連して、サーバにアクセスしてメタデータをレンダリングするように構成された少なくとも１つの使用デバイス（usage device）を含む。
【０００９】
本発明の利点、性質、および様々な追加的特徴は、詳細に説明される例示的実施形態を添付の図面と併せて検討すると、より十分に明らかになるであろう。
【００１０】
図面は、本発明の概念を説明する目的であり、本発明を説明するために必ずしもあり得る構成のみではないことを理解されたい。
【発明を実施するための最良の形態】
【００１１】
本発明は、動画のワークフローの任意のポイントで、メタデータの収集、管理、および使用をサポートする。任意のタイプのデバイスを使用して、自動化、精度の改善、およびタスクの容易化などのために収集されワークフローの他のポイントに利用可能にされる関連メタデータ（relevant metadata）を、記録または抽出することができる。
【００１２】
本発明は、映画産業におけるメタデータの収集、管理、および交換に関して説明されるが、本発明は、より広範であり、任意の産業における任意のワークフロープロジェクトも含むことができることは理解されよう。さらに、本発明は、他のデジタルデータの収集および使用と併せてメタデータの入力および使用を促進させる、ネットワーク環境にも適用可能である。電話、セットトップボックス、コンピュータ、衛星中継、コンピュータ入力などによって記録データを取ることを含め、任意の記録方法によってメタデータを記録することができる。本発明は、プライベートネットワークに関して説明されるが、本発明の概念を、パブリックネットワーク、プライベートネットワーク、および両方の組み合わせを含むことができる任意の無線および有線ネットワークタイプに拡張することができる。
【００１３】
図面に示される要素を、ハードウェア、ソフトウェア、またはこれらの組み合わせの様々な形式で実装することができることも理解されたい。好ましくは、これらの要素は、プロセッサ、メモリ、および入力／出力インタフェースを含むことができる１つまたは複数の適切にプログラムされた汎用デバイスにおいて、ハードウェアとソフトウェアの組み合わせで実装される。
【００１４】
本発明の説明は、本発明の原理を示す。したがって、当業者が、本明細書では明示的に説明または示されないが本発明の原理を具現化し本発明の精神および範囲内に含まれる、様々なアレンジを考え出すことができるであろうことは、理解されよう。
【００１５】
本明細書で列挙される全ての例示および条件の語句は、読み手が、当技術分野を推進するために本発明者によって寄与される本発明の原理および概念を理解するのを助けるための教示の目的が意図されており、このような具体的に列挙された例示および条件に限定されずに解釈されるべきものである。
【００１６】
さらに、本発明の原理、態様、および実施形態を列挙している本明細書の全ての記述、ならびにその特定の例示は、これらの構造的および機能的に等価なものを包含することが意図される。さらに、そのような等価なものは、現在知られている等価なもの、および将来的に開発される等価なもの、すなわち構造に関係なく、同じ機能を実行するように開発される任意の要素の両方を含むことが意図される。
【００１７】
したがって、例えば、本明細書で提示されるブロック図は、本発明の原理を具現化している例示的な回路（circuitry）の概念的な図を表すことを、当業者は理解するであろう。同様に、すべてのフローチャート、フロー図、状態遷移図、および疑似コードなどは、コンピュータまたはプロセッサが明示的に示されているか否かに関わらず、コンピュータ読み取り可能な媒体において実質上表すことができ、かつコンピュータまたはプロセッサが実行することができる、様々なプロセスを表すことも理解されよう。
【００１８】
図面に示される様々な要素の機能を、専用のハードウェア、ならびにソフトウェアを実行することができるハードウェアを適切なソフトウェアと関連して使用することを通じて、提供することができる。プロセッサによって提供する場合、機能を、単一の専用プロセッサ、単一の共有プロセッサ、または、その一部のプロセッサが共有され得る複数の個別のプロセッサによって提供することができる。さらに、「プロセッサ」または「コントローラ」という用語の明示的な使用は、ソフトウェアを実行することができるハードウェアのみを指すように解釈されるべきではなく、限定ではないが「ＤＳＰ」（digital signal processor）ハードウェア、ソフトウェアを格納するための「ＲＯＭ」、「ＲＡＭ」、および不揮発性ストレージを暗黙的に含むことができる。他のハードウェア、従来型および／またはカスタムも含むことができる。これらの機能を、プログラムロジックの操作を通じて、専用ロジックを通じて、プログラム制御と専用ロジックのやりとりを通じて、または手動でも実行することができ、文脈からより具体的に理解されるように、特定の技法は実装者（implementer）によって選択可能である。
【００１９】
本発明の特許請求の範囲においては、特定の機能を実行する手段として表現される任意の要素は、例えば、ａ）その機能を実行する回路要素（circuit element）の組み合わせ、またはｂ）そのソフトウェアを実行するための適切な電気回路網と結合されて機能を実行するファームウェア、マイクロコードなどを含む任意の形式のソフトウェアを含め、その機能を実行する任意の方法を包含することが意図される。そのような特許請求の範囲によって定義される本発明は、様々な列挙される手段によって提供される機能性が、特許請求の範囲が提唱するやり方で組み合わされ、もたらされる事実の中に存在する。したがって、これらの機能性を提供することができる全ての手段は、本明細書に示される手段と同等のものと見なされる。
【００２０】
本原理は、メタデータおよびコンテンツを維持するためのいくつかのオプションを提供する。例えば、（１）メタデータをコンテンツとともに、収集することができ、転送すること（図１）、および／または（２）メタデータを、別個のデータベース内またはデータベースサーバのネットワーク内で収集することができること（例えば、図２）である。上記（２）の場合、メタデータとコンテンツの間の単一のリンクは、例えば、汎用タイムスタンプ（universal time stamp）または一意の識別子を利用することによって維持される。該リンクは、メタデータからコンテンツまで、および／またはコンテンツからメタデータまでとすることができる。
【００２１】
ここで具体的な詳細に関して、同様の参照番号が複数の図を通じて類似または同一の要素を識別する図面を参照する。初めに図１を参照すると、特に有用な一実施形態による例示的なシステム１０のアークテクチャが示されている。システム１０は、少なくとも１つのデータベース３０と通信可能なデバイスのネットワークを含むことができる。デバイスは、１つまたは複数のカメラ１２または２６、プロセッサ（例えば、編集用の下見フィルム（デイリーズ：dailies）の処理および視聴（view）のためのデータシネ（datacine）プロセッサ２２）、コンピュータまたは他の視聴／編集装置２４などを含むことができる。これらのデバイスは、ワークフローメタデータを記録または使用する。これらのデバイスは、コンテンツを記録する機能を含むことができ、メタデータをそのコンテンツと結合することができる。例えば、カメラ１２の場合、画像（image）データは、撮影（filming）中のシーンに関して収集される。撮影と同時または異なる時に、データを、ユーザまたは他のデバイスによって自動的に取得または入力して、コンテンツで記録することができ、あるいはメタデータの形式で少なくともコンテンツと関連付けることができる。メタデータは、カメラ設定、画像のルックアップテーブル（例えば、色の補正情報など）、またはフィルムの制作および／または編集に有用な可能性のある任意の他の情報を含むことができる。
【００２２】
カメラからのコンテンツおよびメタデータを、物理的なボールト（vault）またはデータベース３０に直接報告することができ、あるいはフィルム（またはデジタル媒体）を処理する、例えば、フィルムをデジタル化またはデータシネプロセッサ２２を使用して初期処理する、次の段階に伝える（pass on）ことができる。プロセッサ２２は、コンテンツおよび／またはメタデータを利用して、カメラ１２からのフィルムのデジタルシネ（デジタル化）処理を強めることができる。さらに、デジタルシネ処理２２は、新しいメタデータを提供するか、あるいは古いメタデータを、例えば、スキャナの設定、ルックアップテーブル、または他の有用なデータで増補することができる。次いで、コンテンツを強化された（例えば、前の全てのプロセスからのメタデータを蓄積された）メタデータを、次の処理段階に送信または提供することができる。前述のように、メタデータをデータベース３０に直接提供することができ、あるいは、コンテンツまたはワークフローの次の段階のために編集されたコンテンツに含めることができる。
【００２３】
図１に示される例では、コンテンツのレビュー、例えば編集用の下見フィルムの視聴を、装置２２または２４で、テレビ、ディスプレイ、またはプロジェクタを使用して行うことができる。装置２４は、コンテンツを編集する能力、および／またはコンテンツに関連するノート（note）を望ましくはメタデータの形式で提供する能力を有することができる。例えば、色の決定と変更、編集リスト、シーンの情報または評価などをメタデータに含むことができる。メタデータを有するコンテンツ全体を、データベース３０に格納することができ、および／または編集装置２８に提供することができる。編集者は、ワークフローの全ての段階で収集された、全て自由に使えるメタデータ情報を有することとなる。この情報は、データベース３０から検索可能とすることができ、各シーンまたはフレームに対して索引付けされることが可能である。データベース３０は、他のメタデータを追加する機会を提供することができる。例えば、アクセス権に関する情報、セキュリティレベルおよび位置情報を、コンテンツに追加することができ、あるいは別個に格納してコンテンツに関連付けることができる。
【００２４】
システム１０は、画像コンテンツを記録するフィルムカメラ１２に代えて、またはこれに加えて使用することができる、デジタルカメラ２６を含むことができる。フィルムまたはデジタル媒体を利用して、撮影時に取られる撮影プロセスに関連するメタデータを記録することができる。代替的に、メタデータをフィルムのシーンまたはフレームに関連付けて、アーカイブまたはデータベース３０に直接記録することができる。
【００２５】
カメラ１２からのフィルムは、カメラ設定、ルックアップテーブルなどのようなメタデータを含むことができ、あるいは、該フィルムが装置２２でデジタル情報に変換されるとき、ノートに基づくメタデータまたは他の収集された情報を、コンテンツに導入または関連付けることができる。装置２２は、例えば、編集用の下見フィルムを視聴し編集するための処理装置を含むことができる。フィルムが変換されると、メタデータをコンテンツに直接配置し、次の段階に転送することができる。代替的に、メタデータをアーカイブ３０に直接送信することができる。
【００２６】
早期編集装置２４を、等級付け（grading）、シーンの編集、および別のやり方でのコンテンツの強化に利用することができる。装置２４は、デジタルカメラ２６からのデジタルコンテンツ、および／または装置２２からのデジタルコンテンツを受信することができる。装置２４は、カメラ２６からのメタデータ（例えば、カメラ設定、ルックアップテーブルなど）、および装置２２からのメタデータを受信することもできる。装置２４は、追加のメタデータ（例えば、色の情報、編集リストなど）を、変更またはコンテンツに追加する（または、メタデータをアーカイブに直接提供する）ことができる。ワークフローに以前に追加されたメタデータは全て、主要作品（feature）の動画の編集者（または、情報にアクセスする他の者）に提供される。編集装置２８は、コンテンツおよびメタデータを使用して、コンテンツをより良く編成し、記録された情報に基づいて補正を行うことができる。アーカイブ３０も、メタデータ（例えば、格納されたメタデータへのアクセス権および位置情報）を提供することができる。
【００２７】
図２を参照すると、分散ネットワーク１００は、複数のメタデータのソースと通信するデータベース１０２を含む。ネットワーク１００は、ワークフローのメタデータを記録および／または使用するデバイスから構成される。他の実施形態では（例えば図４）、メタデータを収集し、管理し、公開するメタデータサーバのネットワークが提供される。サークルテイク、カメラの位置、カメラ設定、セットの寸法（set dimension）などを含む、任意のタイプのワークフローメタデータをサポートすることができる。例えば、各シーンおよびテイクについて、サークルテイク情報１０４、または他の情報を含むメタデータを、（例えば、ＰＤＡ１０６、ラップトップ１１４、処理装置１０８などで）異なるデバイスによって収集することができる。（例えば、ラップトップの操作を通じた）色の補正、（例えば、カメラ１２または２６、あるいはカメラに取り付けられたセンサ１１０を使用した）カメラ位置などである。
【００２８】
システムは、ディレクタ、映画監督（cinematographer）、ＶＦＸの監督、カメラマン、編集者、カラリストなどの観点から関連のあるメタデータを取得して管理することができる。デバイスを記録するメタデータの例には、ＰＤＡ、携帯電話、ラップトップ、センサ、カメラ、レコーダなどを含めることができる。さらに、編集および処理装置は、メタデータをコンテンツまたはデータベースに追加することができる。システム１００は、メタデータのダウンロードにより、アプリケーションを（Ｊａｖａ（登録商標）、Ｃ＋＋などで）、インターネットアクセス、無線ネットワークアクセス、または他のタイプの接続を用いて任意のデバイスに記録することを可能にする。この方法では、（異なるＰＤＡ、カメラ、コンピュータなどとすることができる）全く異なるデバイスを、データ取得段階において使用することができる。次いで、デバイスを記録しているこれらの異なるメタデータを異なる関係者が使用して、同じイベントに関するメタデータを同時に入力することができる。例えば、ディレクタおよび特殊効果の作業者が、あるシーンに関するメタデータを同時に入力することができる。このメタデータは、次いで、任意の他の段階でデータベース１０２またはサーバ（図４を参照されたい）を通じて、撮影後の編集（post production）、編集用の下見、またはプロセス中に行われる任意の他の操作に対して、利用可能となる。メタデータを使用することができるデバイスの例は、（アナログフィルムの記録を変換するための）処理ステーション１０９およびデジタル変換ステーション２２を含むことができる編集用の下見フィルムのステーション１０８、編集ステーション２８、色補正ステーション１１２などを含むことができる。
【００２９】
図２に示される実施形態によると、メタデータ情報をデータベース１０２に報告して格納することができる。情報を、複数の異なるデバイスおよび複数の異なるモードを使用して、データベース１０２に報告することができる。データベース１０２は、複数のセキュリティレベルを含むことができ、データベースのユーザは、データベースに格納されたメタデータ情報の全てには関与することはできない。例えば、ディレクタは、データの全てに対するアクセスを有することができるが、映画監督は、データの一部分に対するアクセスのみしか有することができない。データベース１０２内のデータを、複数の異なる方法で編成することができる。データベース編成の一部の例には、日時による編成、シーンまたはフレームの数による編成、作成者またはタイトルによる編成などがある。好ましい一実施形態では、データベースとの通信は、セキュアな無線ネットワークで行われるが、セキュアなインターネットまたは他のネットワークも適切である。この方法では、メタデータは、容易に格納され、権限あるユーザに対して容易にアクセス可能である。メタデータを、データベース１０２と通信可能な任意の利用可能なデバイス、またはデータベース１０２との通信に適合された任意の利用可能なデバイスを使用して、収集することができる。
【００３０】
図３を参照すると、概略図により、一実施形態にかかるメタデータの収集および使用が示されている。フィールドからまたはセットに関して収集されたメタデータを、データベース１０２に格納して、ネットワークを通じて任意の時間および場所でワークフローの他の部分によってアクセスすることができる。動画の作成などのプロジェクトの間、作業者は、メタデータをデータベースに入力するために（代替的には、メディア（例えば、フィルム、メモリなど）を記録しているコンテンツを有するメタデータを記録するために）、通信デバイス１５０を身に付けている。通信デバイス１５０は、ＰＤＡ１５１、携帯電話１５２、ラップトップコンピュータ１５４、または類似のデバイスを含むことができる。さらに、全ての他の装置を設定して、メタデータの入力およびアクセスを可能にすることができる。デバイスのユーザは、フォームまたはフォーマットされたページを呼び出し、データまたは測定値（measurement）をそのフォームに入力することができる。フォームは必ずしも必要ではなく、データベース１０２内のメモリ、またはコンテンツ媒体に対するアクセスを単に提供することによって、任意のデータ入力をメタデータとして記録することができる。メタデータは、ＩＤ情報とともに、あるいは日付／時刻、送信側のＩＤ、シーンのデータ、またはメタデータを記録または編集されているコンテンツと関連付けるのに利用され得る任意の他の受け入れ可能な情報（acceptable information）の少なくとも１つとともに、データをデータベース１０２に伝送することによってデータベース１０２に記録することができる。データベース１０２は、メタデータを編成して、メタデータを利用することとなる１つまたは複数のデバイスによる権限あるアクセスを可能にする。メタデータに対するアクセスから利益を享受し得るデバイスには、例えば、色の等級付け装置（color grading equipment）１５６、編集用の装置（editorial equipment）１５８、デイリー編集装置（daily editing equipment）１６０などが含まれる。
【００３１】
図４を参照すると、別の実施形態では、データベース１０２に記録されたメタデータは、ワークフロー内の権限あるユーザに対してもアクセス可能である。ここで、ワークフロー内の任意の部分は実際にメタデータを収集して、該メタデータを使用することができ、ならびに／あるいは該メタデータを、メタデータサーバ１７０に、または任意の権限ある人もしくはデバイスによってアクセス可能とすべき該メタデータの他のユーザに伝送することができる。データベース１０２を、１つまたは複数のサーバ１７０に含めることができ、あるいは、データベース１０２は、１つまたは複数のサーバ１７０と関連して動作することができる。例えば、権限あるフィルム作業者は、別の作業者からのノートをチェックして、現在のタスクが、サーバ１７０からメタデータをダウンロードすることによってどのように影響を受けるのか判定することができる。他の対話的な特性およびメカニズムも同様に利用することができる。例えば、メタデータを、メタデータのメッセージまたはノートの重要性を記述するランキングで格納することができる。一実施形態では、メタデータのノートは、ファイルにアクセスすることなどのトリガイベントが実行されると、自動的に画面またはディスプレイに現れることがある。メタデータサーバ１７０の１つは、残りのメタデータサーバ１７０が報告して同期をとる、マスタおよび中央サーバとして動作することができる。
【００３２】
メタデータサーバ１７０とデバイス１５０、１５６、１５８、１６０などとの間のメタデータの交換を、オープンスタンダードのウェブサービスおよびプロトコル（例えば、ＸＭＬ、ＲＰＣ、およびＳＯＡＰ）を通じて行うことができる。ウェブサービスは、プラットフォームと独立であり、したがって本発明は、異機種のコンピューティング環境で動作することができる（例えば、ＰＤＡは、Ｗｉｎｄｏｗｓ  ＣＥ（登録商標）においてＣ＋＋とすることができ、メタデータサーバ１７０は、Ｌｉｎｕｘ（登録商標）においてＪａｖａ（登録商標）で稼動することができる。）
【００３３】
例示的な一実施形態を構築し、シュミレートしてきたが、例示的な一実施形態には、サークルテイクのメタデータを記録するのに使用されるＰＤＡが含まれる。無線接続を介するウェブサービスを利用して、メタデータをモバイルメタデータサーバ（ラップトップ）に送信した。編集用の下見フィルムのステーションは、ウェブブラウザを使用してサークルテイクメタデータにアクセスした。サークルテイクメタデータを、編集用の下見フィルムのステーションによって使用して、サークルテイクと他のテイクを区別するＣＤを作成した。
【００３４】
本原理は、シーンに関するメタデータの作成を異なるデバイス間で同期させることができるスキーマも提供する。例えば、ＳＭＰＴＥタイムコードを使用して、ＰＤＡによって生成されるメタデータを、カメラによって生成されるメタデータとリンクさせることができる。マスタクロックを利用することなどによる、同期化のための他の方法を使用することができることも想定される。異なるデバイス間で同期させることにより、各イベントの手動入力（シーン５、シーン６などに入力することなど）は、全てのデバイスには必要ではないであろう。「シーン」および「テイク」のような記述用語を使用して、特定のイベントおよびそれに関連するメタデータについて記述しているが、他のオブジェクトを使用してイベントを記述することができることも意図される。例えば、フィルムを編集している人は、メタデータサーバに、グラフィック要素でサークルを示す画面を、サークルテイクからのサムネイル画像を使用してレンダリングするように要求することによって、あるサークルテイクを見つけることができる。したがって、特定のイベントを探している人は、テキスト要素およびグラフィック要素の両方を使用して、関心あるシーン／テイクを識別することができる。データベース１０２は、互いに同期されて任意の権限ある人によってどこでもアクセス可能な（インターネット接続がない場所でも利用可能である）メタデータを維持する、データベースのネットワークを含むことができる。データベースを、ネットワーク内の複数のデバイス間に分散することができる。ネットワークを、特定のプロジェクトのためにセットアップすることができ、メタデータを、複数の分散データベースによって収集、管理、および格納することができる。例えば、タイムスタンプなどの同期プロトコル、および一意の識別子のシステムを導入して、権限／アクセスの制御を提供することができ、更新された情報をユーザに対してアクセス可能および明らかにすることを可能にすることができる。タイムスタンプまたは一意の識別子を利用して、コンテンツをそれぞれのメタデータとリンクさせることができ、逆も同様である。
【００３５】
本発明の原理を、映画制作のプロジェクトに関して説明したが、そのようなプロジェクトは例示の目的のためである。本発明は、メタデータのノートおよび装置を利用して生成物の改良を可能にする、他のプロジェクトおよびワークフローにも同様に適用可能である。例えば、メタデータの収集および使用は、生成物の電子的記録が、組み立て（assembly）または製造プロセスを通じて保持される、製造環境において有用であり得る。他の例には、制作、あるいはコンパクトディスク、ＤＶＤなどの記録媒体またはポータブル媒体を含むことができる。（例示であり限定ではないことが意図される）ワークフローメタデータのシステムおよび方法について好ましい実施形態を説明してきたが、上述の観点から、当業者が修正および変形を行うことができることに留意されたい。したがって、開示される本発明の特定の実施形態に対し、添付の特許請求の範囲によって示される本発明の範囲および精神内で変更を行うことができることは理解されよう。したがって本発明は特許法によって必要とされる詳細性および具体性で説明されており、特許請求する事項および特許により保護されることを望む事項は、添付の特許請求の範囲に記載される。
【図面の簡単な説明】
【００３６】
【図１】本発明の一実施形態に従ってワークフロープロセスを改善するために、コンテンツを記録してコンテンツをメタデータと結合するアナログカメラおよびデジタルカメラを示す別の例示的な実施形態のブロック図である。
【図２】本発明のさらに別の一実施形態に従ってメタデータを共通のデータベースに報告するアナログカメラおよびデジタルカメラおよび他の装置、ならびにメタデータを使用デバイスに提供するデータベースを示す、別の例示的な実施形態のブロック図である。
【図３】本発明のさらに別の一実施形態に従ってメタデータを１つまたは複数のデータベースに報告するポータブルデバイスを使用するメタデータのキャプチャ、ならびにメタデータを使用デバイスに提供するデータベースを示す、別の例示的な実施形態のブロック図である。
【図４】本発明のさらに別の一実施形態に従ってメタデータを、データベースサーバあるいはワークフロー内でメタデータの収集およびデバイスの／による使用を可能にするサーバに報告するポータブルデバイスを使用するメタデータのキャプチャを示す、別の例示的な実施形態のブロック図である。
【図１】
2009517971.tif 000003
【図２】
2009517971.tif 000004
【図３】
2009517971.tif 000005
【図４】
2009517971.tif 000006
【国際調査報告】
2009517971.tif 000007
2009517971.tif 000008